(57)【特許請求の範囲】
【請求項１】
所定の入力値を与えることによってブラックポイントの判定基準となる所定の基準輝度で表示される基準輝度領域と、該基準輝度領域とは異なる入力値を与えられる比較輝度領域とをディスプレイ上に並べて表示し、該比較輝度領域に対する入力値を増減して、該比較輝度領域が前記基準輝度領域とかろうじて区別できるようになる入力値をブラックポイントとして決定するディスプレイのブラックポイント決定方法において、
前記基準輝度領域に対して、まず、ブラックポイントを確実に下回る入力値を与え、
次に、前記比較輝度領域内の各ピクセルに対する入力値を、ブラックポイントを確実に上回る入力値から前記ブラックポイントを確実に下回る入力値まで、基準輝度領域の方向に向かって徐々に減少するように異なる値で与えることによって、前記比較輝度領域内で基準輝度領域に向かって輝度が徐々に減少する状態を形成し、
前記徐々に減少する関係を維持したまま、比較輝度領域内の各ピクセルに対する入力値を増減させたときに該比較輝度領域内で基準輝度領域に対して識別可能な部分の幅、高さ又は面積が予め定めておいた比較条件に達したとき、当該幅、高さ又は面積の境界線上のピクセルに対して与えられている入力値に基づいて当該ディスプレイのブラックポイントを決定することを特徴とするディスプレイのブラックポイント決定方法。
【請求項２】
請求項１記載のディスプレイのブラックポイント決定方法において、
前記徐々に減少する関係が、比較輝度領域内での最高輝度を与えるピクセルの入力値と当該ピクセルからの距離に基づく所定の関数で与えられ、
前記最高輝度を与えるピクセルへの入力値を増減することによって前記識別可能な部分の幅、高さ又は面積を増減させると共に、
前記境界線上のピクセルに対する入力値を、前記最高輝度を与えるピクセルへの入力値、前記比較条件及び前記所定の関数に基づいて決定することを特徴とするディスプレイのブラックポイント決定方法。
【請求項３】
所定の入力値を与えることによってブラックポイントの判定基準となる所定の基準輝度で表示される基準輝度領域と、該基準輝度領域とは異なる入力値を与えられる比較輝度領域とをディスプレイ上に並べて表示し、該比較輝度領域に対する入力値を増減して、該比較輝度領域が前記基準輝度領域とかろうじて区別できるようになる入力値をブラックポイントとして決定するディスプレイのブラックポイント決定方法において、
前記基準輝度領域に対して、まず、ブラックポイントを確実に上回る入力値を与え、
次に、前記比較輝度領域内の各ピクセルに対する入力値を、ブラックポイントを確実に下回る入力値から前記ブラックポイントを確実に上回る入力値まで、基準輝度領域の方向に向かって徐々に増加するように異なる値で与えることによって、前記比較輝度領域内で基準輝度領域に向かって基準輝度領域に向かって輝度が徐々に増加する状態を形成し、
前記徐々に増加する関係を維持したまま、比較輝度領域内の各ピクセルに対する入力値を増減させたときに該比較輝度領域内で基準輝度領域に対して識別可能な部分の幅、高さ又は面積が予め定めておいた比較条件に達したとき、当該幅、高さ又は面積の境界線上のピクセルに対して与えられている入力値に基づいて当該ディスプレイのブラックポイントを決定することを特徴とするディスプレイのブラックポイント決定方法。
【請求項４】
請求項３記載のディスプレイのブラックポイント決定方法において、
前記徐々に増加する関係が、比較輝度領域内での最低輝度を与えるピクセルの入力値と当該ピクセルからの距離に基づく所定の関数で与えられ、
前記最高輝度を与えるピクセルへの入力値を増減することによって前記識別可能な部分の幅、高さ又は面積を増減させると共に、
前記境界線上のピクセルに対する入力値を、前記最低輝度を与えるピクセルへの入力値、前記比較条件及び前記所定の関数に基づいて決定することを特徴とするディスプレイのブラックポイント決定方法。
【請求項５】
所定の入力値を与えることによってブラックポイントの判定基準となる所定の基準輝度で表示される基準輝度領域をディスプレイ上に発生させる基準輝度領域発生手段と、
該基準輝度領域に並べて、該基準輝度領域に対するのとは異なる入力値を与えられる比較輝度領域を前記ディスプレイ上に発生させる比較輝度領域発生手段と、
該比較輝度領域に対する前記入力値を増減する入力値増減手段と、
ブラックポイントの決定を指令する決定指令手段と、
該ブラックポイントの決定が指令されたときの前記比較輝度領域に対する入力値に基づいてブラックポイントを算出するブラックポイント算出手段と
を備えるディスプレイのブラックポイント決定装置において、
前記基準輝度領域発生手段を、基準輝度領域に対してブラックポイントを確実に下回る入力値を与える手段として構成し、
前記比較輝度領域発生手段を、前記比較輝度領域内の各ピクセルに対する入力値を、ブラックポイントを確実に上回る入力値から前記ブラックポイントを確実に下回る入力値まで、基準輝度領域の方向に向かって徐々に減少するように異なる値で与えることによって、前記比較輝度領域内で基準輝度領域に向かって輝度が徐々に減少する状態を形成する手段として構成し、
前記入力値増減手段を、前記徐々に減少する関係を維持したまま、比較輝度領域内の各ピクセルに対する入力値を増減させる手段として構成する共に、
前記比較輝度領域内で基準輝度領域に対して識別可能な部分の幅、高さ又は面積と対比される比較条件を与える比較条件付与手段を備えさせ、
前記ブラックポイント算出手段を、前記決定指令手段が操作されたときの前記比較条件の境界線上のピクセルに対して与えられている入力値に基づいて当該ディスプレイのブラックポイントを算出する手段として構成したことを特徴とするディスプレイのブラックポイント決定装置。
【請求項６】
請求項５記載のディスプレイのブラックポイント決定装置において、
前記比較輝度領域発生手段を、徐々に減少する関係を、比較輝度領域内での最高輝度を与えるピクセルの入力値と当該ピクセルからの距離に基づく所定の関数で与える手段として構成し、
前記入力値増減手段を、前記最高輝度を与えるピクセルへの入力値を増減することによって前記識別可能な部分の幅、高さ又は面積を増減させる手段として構成し、
前記ブラックポイント算出手段を、前記最高輝度を与えるピクセルに対する入力値、前記比較条件及び前記所定の関数に基づいて、前記境界線上のピクセルに対する入力値を特定してブラックポイントを算出する手段として構成したことを特徴とするディスプレイのブラックポイント決定装置。
【請求項７】
所定の入力値を与えることによってブラックポイントの判定基準となる所定の基準輝度で表示される基準輝度領域をディスプレイ上に発生させる基準輝度領域発生手段と、
該基準輝度領域に並べて、該基準輝度領域に対するのとは異なる入力値を与えられる比較輝度領域を前記ディスプレイ上に発生させる比較輝度領域発生手段と、
該比較輝度領域に対する前記入力値を増減する入力値増減手段と、
ブラックポイントの決定を指令する決定指令手段と、
該ブラックポイントの決定が指令されたときの前記比較輝度領域に対する入力値に基づいてブラックポイントを算出するブラックポイント算出手段と
を備えるディスプレイのブラックポイント決定装置において、
前記基準輝度領域発生手段を、基準輝度領域に対してブラックポイントを確実に上回る入力値を与える手段として構成し、
前記比較輝度領域発生手段を、前記比較輝度領域内の各ピクセルに対する入力値を、ブラックポイントを確実に下回る入力値から前記ブラックポイントを確実に上回る入力値まで、基準輝度領域の方向に向かって徐々に増加するように異なる値で与えることによって、前記比較輝度領域内で基準輝度領域に向かって輝度が徐々に増加する状態を形成する手段として構成し、
前記入力値増減手段を、前記徐々に増加する関係を維持したまま、比較輝度領域内の各ピクセルに対する入力値を増減させる手段として構成する共に、
前記比較輝度領域内で基準輝度領域に対して識別可能な部分の幅、高さ又は面積と対比される比較条件を与える比較条件付与手段を備えさせ、
前記ブラックポイント算出手段を、前記決定指令手段が操作されたときの前記比較条件の境界線上のピクセルに対して与えられている入力値に基づいて当該ディスプレイのブラックポイントを算出する手段として構成したことを特徴とするディスプレイのブラックポイント決定装置。
【請求項８】
請求項７記載のディスプレイのブラックポイント決定装置において、
前記比較輝度領域発生手段を、徐々に増加する関係を、比較輝度領域内での最低輝度を与えるピクセルの入力値と当該ピクセルからの距離に基づく所定の関数で与える手段として構成し、
前記入力値増減手段を、前記最低輝度を与えるピクセルへの入力値を増減することによって前記識別可能な部分の幅、高さ又は面積を増減させる手段として構成し、
前記ブラックポイント算出手段を、前記最低輝度を与えるピクセルに対する入力値、前記比較条件及び前記所定の関数に基づいて、前記境界線上のピクセルに対する入力値を特定してブラックポイントを算出する手段として構成したことを特徴とするディスプレイのブラックポイント決定装置。
【発明の詳細な説明】
【０００１】
【発明の属する技術分野】
本発明は、ディスプレイのブラックポイントの決定方法及びそのための装置に関する。
【０００２】
【従来の技術】
一般に、ＣＲＴディスプレイは、入力値と相対輝度の間に、図８に示す様な非線形の表示特性を有することが知られている。図示の相対輝度が０でなくなる入力値Ｘ＝ＢＰはブラックポイントと呼ばれ、入力値Ｘ及び相対輝度Ｙｄの最大最小が０〜２５５で表されるとすると、ディスプレイの表示特性は、例えば、下記の指数関数で近似できることが知られている。
【０００３】
【数１】
0003707201.tif 000002
【０００４】
このブラックポイントＢＰは、ディスプレイ自体のブライトネス調整でも変えられるし、ディスプレイの経年変化によっても変動するし、見る人の感覚によっても多少のずれが生じる。
このブラックポイントの求め方として、従来、図９に示す様に、例えばＸ＝０を与えた基準輝度領域Ａと、Ｘ＞０の可変入力値を与えた比較輝度領域Ｂとをディスプレイ上に並べて表示し、比較輝度領域Ｂに対する入力値を増減して比較輝度領域Ｂが基準輝度領域Ａとかろうじて区別できるようになる入力値をブラックポイントとして決定する方法が用いられている。
【０００５】
【発明が解決しようとする課題】
しかし、従来のブラックポイントの決定方法では、慣れないと速やかにかつ正確にブラックポイントを決定できない場合があり、不慣れなユーザーにも決定し易くすることが望まれている。
【０００６】
そこで、本発明は、ブラックポイントを速やかにかつ正確に決定することを目的とし、特に、ブラックポイントの決定を指令し易くすることを目的とする。
【０００７】
【課題を解決するための手段、発明の実施の形態及び発明の効果】
【０００８】
【０００９】
【００１０】
本発明は、所定の入力値を与えることによってブラックポイントの判定基準となる所定の基準輝度で表示される基準輝度領域と、該基準輝度領域とは異なる入力値を与えられる比較輝度領域とをディスプレイ上に並べて表示し、該比較輝度領域に対する入力値を増減して、該比較輝度領域が前記基準輝度領域とかろうじて区別できるようになる入力値をブラックポイントとして決定するディスプレイのブラックポイント決定方法において、前記基準輝度領域に対して、まず、ブラックポイントを確実に下回る入力値を与え、次に、前記比較輝度領域内の各ピクセルに対する入力値を、ブラックポイントを確実に上回る入力値から前記ブラックポイントを確実に下回る入力値まで、基準輝度領域の方向に向かって徐々に減少するように異なる値で与えることによって、前記比較輝度領域内で基準輝度領域に向かって輝度が徐々に減少する状態を形成し、前記徐々に減少する関係を維持したまま、比較輝度領域内の各ピクセルに対する入力値を増減させたときに該比較輝度領域内で基準輝度領域に対して識別可能な部分の幅、高さ又は面積が予め定めておいた比較条件に達したとき、当該幅、高さ又は面積の境界線上のピクセルに対して与えられている入力値に基づいて当該ディスプレイのブラックポイントを決定することを特徴とするディスプレイのブラックポイント決定方法によって上記の目的を達成している。
【００１１】
この方法では、比較輝度領域が基準輝度領域に向かって徐々に輝度が減少して次第に識別できなくなるように表示される。従来と異なるのは、確実に見える部分から確実に見えない部分まで輝度が徐々に変化している点である。そして、比較輝度領域に対する入力値を増減することによって確実に見える部分の幅、高さ又は面積を増減して比較条件と比べるのである。この方法によれば、確実に見える部分があることで、ユーザーは、見える位置と見えなくなる位置との境界が比較条件に一致したか否かという手法でブラックポイントを決定する。従って、例えば帯が見えたか見えないかといった判定方法よりも、ブラックポイントであることを決定するための指令をし易くなる。
【００１２】
より具体的な方法としては、前記徐々に減少する関係が、比較輝度領域内での最高輝度を与えるピクセルの入力値と当該ピクセルからの距離に基づく所定の関数で与えられ、前記最高輝度を与えるピクセルへの入力値を増減することによって前記識別可能な部分の幅、高さ又は面積を増減させると共に、前記境界線上のピクセルに対する入力値を、前記最高輝度を与えるピクセルへの入力値、前記比較条件及び前記所定の関数に基づいて決定することを特徴とするディスプレイのブラックポイント決定方法を採用することができる。
【００１３】
これらの方法は、所定の入力値を与えることによってブラックポイントの判定基準となる所定の基準輝度で表示される基準輝度領域をディスプレイ上に発生させる基準輝度領域発生手段と、該基準輝度領域に並べて、該基準輝度領域に対するのとは異なる入力値を与えられる比較輝度領域を前記ディスプレイ上に発生させる比較輝度領域発生手段と、該比較輝度領域に対する前記入力値を増減する入力値増減手段と、ブラックポイントの決定を指令する決定指令手段と、該ブラックポイントの決定が指令されたときの前記比較輝度領域に対する入力値に基づいてブラックポイントを算出するブラックポイント算出手段とを備えるディスプレイのブラックポイント決定装置において、前記基準輝度領域発生手段を、基準輝度領域に対してブラックポイントを確実に下回る入力値を与える手段として構成し、前記比較輝度領域発生手段を、前記比較輝度領域内の各ピクセルに対する入力値を、ブラックポイントを確実に上回る入力値からブラックポイントを確実に下回る入力値まで、基準輝度領域の方向に向かって徐々に減少するように異なる値で与えることによって、前記比較輝度領域内で基準輝度領域に向かって輝度が徐々に減少する状態を形成する手段として構成し、前記入力値増減手段を、前記徐々に減少する関係を維持したまま、比較輝度領域内の各ピクセルに対する入力値を増減させる手段として構成する共に、前記比較輝度領域内で基準輝度領域に対して識別可能な部分の幅、高さ又は面積と対比される比較条件を与える比較条件付与手段を備えさせ、前記ブラックポイント算出手段を、前記決定指令手段が操作されたときの前記比較条件の境界線上のピクセルに対して与えられている入力値に基づいて当該ディスプレイのブラックポイントを算出する手段として構成したことを特徴とするディスプレイのブラックポイント決定装置によって実施でき、上記より具体的な方法に対しては、前記比較輝度領域発生手段を、徐々に減少する関係を、比較輝度領域内での最高輝度を与えるピクセルの入力値と当該ピクセルからの距離に基づく所定の関数で与える手段として構成し、前記入力値増減手段を、前記最高輝度を与えるピクセルへの入力値を増減することによって前記識別可能な部分の幅、高さ又は面積を増減させる手段として構成し、前記ブラックポイント算出手段を、前記最高輝度を与えるピクセルに対する入力値、前記比較条件及び前記所定の関数に基づいて、前記境界線上のピクセルに対する入力値を特定してブラックポイントを算出する手段として構成したことを特徴とするディスプレイのブラックポイント決定装置によって実施することができる。
【００１４】
また、上記方法とは逆に、所定の入力値を与えることによってブラックポイントの判定基準となる所定の基準輝度で表示される基準輝度領域と、該基準輝度領域とは異なる入力値を与えられる比較輝度領域とをディスプレイ上に並べて表示し、該比較輝度領域に対する入力値を増減して、該比較輝度領域が前記基準輝度領域とかろうじて区別できるようになる入力値をブラックポイントとして決定するディスプレイのブラックポイント決定方法において、前記基準輝度領域に対して、まず、ブラックポイントを確実に上回る入力値を与え、次に、前記比較輝度領域内の各ピクセルに対する入力値を、ブラックポイントを確実に下回る入力値から前記ブラックポイントを確実に上回る入力値まで、基準輝度領域の方向に向かって徐々に増加するように異なる値で与えることによって、前記比較輝度領域内で基準輝度領域に向かって輝度が徐々に増加する状態を形成し、前記徐々に増加する関係を維持したまま、比較輝度領域内の各ピクセルに対する入力値を増減させたときに該比較輝度領域内で基準輝度領域に対して識別可能な部分の幅、高さ又は面積が予め定めておいた比較条件に達したとき、当該幅、高さ又は面積の境界線上のピクセルに対して与えられている入力値に基づいて当該ディスプレイのブラックポイントを決定することを特徴とするディスプレイのブラックポイント決定方法を用いることもできる。この場合の具体的方法としては、前記徐々に増加する関係が、比較輝度領域内での最低輝度を与えるピクセルの入力値と当該ピクセルからの距離に基づく所定の関数で与えられ、前記最高輝度を与えるピクセルへの入力値を増減することによって前記識別可能な部分の幅、高さ又は面積を増減させると共に、前記境界線上のピクセルに対する入力値を、前記最低輝度を与えるピクセルへの入力値、前記比較条件及び前記所定の関数に基づいて決定することを特徴とするディスプレイのブラックポイント決定方法を採用することができる。全く見えない部分と見える部分との境界を探すという点で、上述の方法と同様、ブラックポイント決定指令を行い易くなる。
【００１５】
そして、これらの方法に対しては、所定の入力値を与えることによってブラックポイントの判定基準となる所定の基準輝度で表示される基準輝度領域をディスプレイ上に発生させる基準輝度領域発生手段と、該基準輝度領域に並べて、該基準輝度領域に対するのとは異なる入力値を与えられる比較輝度領域を前記ディスプレイ上に発生させる比較輝度領域発生手段と、該比較輝度領域に対する前記入力値を増減する入力値増減手段と、ブラックポイントの決定を指令する決定指令手段と、該ブラックポイントの決定が指令されたときの前記比較輝度領域に対する入力値に基づいてブラックポイントを算出するブラックポイント算出手段とを備えるディスプレイのブラックポイント決定装置において、前記基準輝度領域発生手段を、基準輝度領域に対してブラックポイントを確実に上回る入力値を与える手段として構成し、前記比較輝度領域発生手段を、前記比較輝度領域内の各ピクセルに対する入力値を、ブラックポイントを確実に下回る入力値からブラックポイントを確実に上回る入力値まで、基準輝度領域の方向に向かって徐々に増加するように異なる値で与えることによって、前記比較輝度領域内で基準輝度領域に向かって輝度が徐々に増加する状態を形成する手段として構成し、前記入力値増減手段を、前記徐々に増加する関係を維持したまま、比較輝度領域内の各ピクセルに対する入力値を増減させる手段として構成する共に、前記比較輝度領域内で基準輝度領域に対して識別可能な部分の幅、高さ又は面積と対比される比較条件を与える比較条件付与手段を備えさせ、前記ブラックポイント算出手段を、前記決定指令手段が操作されたときの前記比較条件の境界線上のピクセルに対して与えられている入力値に基づいて当該ディスプレイのブラックポイントを算出する手段として構成したことを特徴とするディスプレイのブラックポイント決定装置を用いることができ、また、より具体的方法に対しては、前記比較輝度領域発生手段を、徐々に増加する関係を、比較輝度領域内での最低輝度を与えるピクセルの入力値と当該ピクセルからの距離に基づく所定の関数で与える手段として構成し、前記入力値増減手段を、前記最低輝度を与えるピクセルへの入力値を増減することによって前記識別可能な部分の幅、高さ又は面積を増減させる手段として構成し、前記ブラックポイント算出手段を、前記最低輝度を与えるピクセルに対する入力値、前記比較条件及び前記所定の関数に基づいて、前記境界線上のピクセルに対する入力値を特定してブラックポイントを算出する手段として構成したことを特徴とするディスプレイのブラックポイント決定装置を用いることができる。
【００１６】
以下、本発明の実施の形態を一層分かりやすくするため、いくつかの実施例を図面と共に説明する。
【００１７】
【実施例】
［第１実施例］
本実施例のシステムとして、図１に示す様に、パーソナルコンピュータ１とカラーディスプレイ２とを接続したシステムを用いる。パーソナルコンピュータ１には、キーボード３、マウス４、ハードディスク５及びカラープリンタ６が接続されている。また、パーソナルコンピュータ１には、ブラックポイント決定プログラムがインストールされている。
【００１８】
このプログラムが起動されると、図２に示す様な判定画像１０を用いてブラックポイントの決定が実行される。この画面についてもう少し説明すると、判定画像１０は、中心の帯の部分１１と、その両側の帯の部分１２の二つの領域から構成されている。そして、判定画像１０の下にはスクロールバー１３が表示される。このスクロールバー１３のスライダ−１３ａはマウス４によって左右にスライドすることができる。なお、以下の説明においては、中心の帯の部分１１を「比較輝度領域１１」といい、その周囲の帯の部分１２を「基準輝度領域１２」という。また、比較輝度領域１１に対する入力値をＸcmprで表し、基準輝度領域１２に対する入力値をＸbaseで表す。なお、この内、Ｘbaseは０に固定されており、Ｘcmprは０〜２５５まで２５６段階で値を変更できるようになっている。基準輝度領域１２は、Ｒ＝Ｇ＝Ｂ＝Ｘbaseで各ピクセルが発光させられるので、結果としてこのディスプレイ２における最低輝度＝ブラックを表示することとなる。
【００１９】
ブラックポイント決定プログラムは、図３に示す様に構成され、起動直後は、Ｘbase＝Ｘcmpr＝０を設定し（Ｓ１０）、基準輝度領域１２の各ピクセルをＲ＝Ｇ＝Ｂ＝Ｘbaseで発光させると共に、比較輝度領域１１の各ピクセルをＲ＝Ｇ＝Ｂ＝Ｘcmprで発光させる（Ｓ２０，Ｓ３０）。これにより、最初は、全体が真っ黒の判定画像１０が表示される。
【００２０】
次に、マウス４の操作状態を読み込み（Ｓ４０）、ユーザーにより「ＯＫ」を意味するボタン操作がなされたか否かを判定する（Ｓ５０）。そして、「ＯＫ」のボタン操作がなされるまでは、スライダー１３ａの相対的なスライド量αを読み込み（Ｓ６０）、当該スライド量αに基づいてＸcmprを更新する（Ｓ７０）。なお、αは左方向にスライダー１３ａがスライドされたときはマイナスの値となる。
【００２１】
そして、「ＯＫ」を意味するボタン操作があったら、このときのＸcmprの値を輝度増加時のブラックポイントＢＰ１として決定し（Ｓ８０）、次に、Ｘcmpr＝２５５をセットし（Ｓ９０）、比較輝度領域１１の各ピクセルをＲ＝Ｇ＝Ｂ＝Ｘcmprで発光させる（Ｓ１００）。これにより、最初は、真っ黒の帯のまん中に真っ白の帯が明瞭に識別できる判定画像１０が表示される。後は、Ｓ４０〜Ｓ８０と同様の処理により、輝度減少時のブラックポイントＢＰ２を決定し（Ｓ１１０〜Ｓ１５０）、ＢＰ１とＢＰ２を平均した値をこのディスプレイのブラックポイントＢＰと決定し（Ｓ１６０）、ハードディスク５に書き込んで記憶しておく（Ｓ１７０）。
【００２２】
この実施例によれば、パーソナルコンピュータ１はＳ２０の処理を行うことによって「基準輝度領域発生手段」を構成し、同じくパーソナルコンピュータ１がＳ３０及びＳ１００の処理を行うことによって「比較輝度領域発生手段」を構成し、Ｓ６０〜Ｓ７０及びＳ１３０〜Ｓ１４０の処理を行うことによって「入力値増減手段」を構成する。また、マウス４及びパーソナルコンピュータ１のＳ４０〜Ｓ５０及びＳ１１０〜Ｓ１２０の処理により「決定指令手段」が構成され、パーソナルコンピュータ１のＳ９０，Ｓ１５０，Ｓ１６０の処理によって「ブラックポイント算出手段」を構成している。
【００２３】
本実施例によれば、ユーザーは、比較輝度領域１１が区別できない状態からはじめて区別できるようになる状態の検索と、逆に、区別できていた状態から区別できなくなる状態の検索を行うことによってブラックポイントを決定する。この結果、ユーザーは、楽な気持ちでそれぞれの検索を行うことができ、しかも、平均値を用いるのでブラックポイントの精度も高くなる。
【００２４】
［第２実施例］
第２実施例では、図４に示す様に、比較輝度領域２１内に、最高輝度の中心領域２１ａを備え、この中心領域２１ａから基準輝度領域に向かって徐々に輝度が減少するように、入力値を与えられた判定画像２０を用いてブラックポイントの決定が実行される。
【００２５】
基準輝度領域２２に対する入力値Ｘbaseは、第１実施例と同様に０に固定されている。比較輝度領域２１の中心領域２１ａに対する入力値をＸctr （０〜２５５）とすると、比較輝度領域２１の周辺領域２１ｂに対する入力値Ｘsideは、下記式で表されるように与えられる。
【００２６】
【数２】
0003707201.tif 000003
【００２７】
ただし、図５に示す様に、Ｂは周辺領域２１ｂの幅、ｘは基準輝度領域２２との境界線からの距離である。また、判定画像２０には、比較幅Ｂ１として目盛り２５が表示されている。なお、２３はスクロールバー、２３ａはスライダーである。
【００２８】
第２実施例におけるブラックポイント決定プログラムは、図５に示す様に構成され、起動直後は、Ｘbase＝Ｘctr ＝０を設定し（Ｓ３１０）、基準輝度領域２２の各ピクセルをＲ＝Ｇ＝Ｂ＝Ｘbaseで発光させると共に、図４の如く目盛り２５を表示する（Ｓ３２０，Ｓ３３０）。そして、比較輝度領域２１の中心領域２１ａ内のピクセルをＲ＝Ｇ＝Ｂ＝Ｘctr で発光させると共に（Ｓ３４０）、上記数２に従って、周辺領域２１ｂの各ピクセルに対する入力値Ｘsideを演算して、周辺領域２１ｂ内の各ピクセルをＲ＝Ｇ＝Ｂ＝Ｘsideで発光させる（Ｓ３５０，Ｓ３６０）。これにより、最初は、全体が真っ黒の判定画像２０が目盛り２５と共に表示される。
【００２９】
次に、マウス４の操作状態を読み込み（Ｓ３７０）、ユーザーにより「ＯＫ」を意味するボタン操作がなされたか否かを判定する（Ｓ３８０）。そして、「ＯＫ」のボタン操作がなされるまでは、スライダー２３ａの相対的なスライド量αを読み込み（Ｓ３９０）、当該スライド量αに基づいてＸctr を更新する（Ｓ４００）。なお、αは左方向にスライダー２３ａがスライドされたときはマイナスの値となる。
【００３０】
そして、「ＯＫ」を意味するボタン操作があったら、このときのＸctr の値を下記式に代入してブラックポントＢＰを算出し（Ｓ４１０）、ハードディスク５に書き込んで記憶しておく（Ｓ４２０）。なお、この実施例では、比較輝度領域２１と基準輝度領域２２とが区別できる部分の幅が目盛り２５と一致したときに「ＯＫ」を意味するボタン操作を行うこととして取り決めてある。
【００３１】
【数３】
0003707201.tif 000004
【００３２】
この実施例によれば、パーソナルコンピュータ１はＳ３２０の処理を行うことによって「基準輝度領域発生手段」を構成し、同じくＳ３３０の処理を行うことによって「比較条件付与発生手段」を構成する。また、パーソナルコンピュータ１がＳ３４０〜Ｓ３６０の処理を行うことによって「比較輝度領域発生手段」を構成し、Ｓ３９０〜Ｓ４００の処理を行うことによって「入力値増減手段」を構成する。また、マウス４及びパーソナルコンピュータ１のＳ３７０，Ｓ３８０の処理により「決定指令手段」が構成され、パーソナルコンピュータ１がＳ４１０の処理を行うことによって「ブラックポイント算出手段」を構成している。
【００３３】
本実施例によれば、ユーザーは、比較輝度領域２１内で基準輝度領域２２と区別可能な部分の幅が目盛り２５と一致するか否かという条件で幅という観点によりブラックポイントを決定することができ、決定の指令を行い易くなっている。
［第３実施例］
第３実施例では、図６に示す様に、比較輝度領域３１内に、最低輝度の中心領域３１ａを備え、この中心領域３１ａから基準輝度領域３２に向かって徐々に輝度が増加するように、入力値を与えられた判定画像３０を用いてブラックポイントの決定が実行される。
【００３４】
この実施例では、基準輝度領域３２に対する入力値Ｘbaseは２５５に固定されている。比較輝度領域３１の中心領域３１ａに対する入力値をＸctr （０〜２５５）とすると、比較輝度領域３１の周辺領域３１ｂに対する入力値Ｘsideは、下記式で表されるように与えられる。
【００３５】
【数４】
0003707201.tif 000005
【００３６】
ただし、図６に示す様に、Ｂは周辺領域３１ｂの幅、ｘは基準輝度領域３２との境界線からの距離である。また、判定画像３０には、比較幅Ｂ１として目盛り３５が表示されている。なお、３３はスクロールバー、３３ａはスライダーである。
【００３７】
この第３実施例におけるブラックポイント決定プログラムは、図７に示す様に構成され、起動直後は、Ｘbase＝Ｘctr ＝２５５を設定し（Ｓ５１０）、基準輝度領域３２の各ピクセルをＲ＝Ｇ＝Ｂ＝Ｘbase＝２５５で発光させると共に、図７の如く目盛り３５を表示する（Ｓ５２０，Ｓ５３０）。そして、比較輝度領域３１の中心領域３１ａ内のピクセルをＲ＝Ｇ＝Ｂ＝Ｘctr で発光させると共に（Ｓ５４０）、上記数４に従って、周辺領域３１ｂの各ピクセルに対する入力値Ｘsideを演算して、周辺領域３１ｂ内の各ピクセルをＲ＝Ｇ＝Ｂ＝Ｘsideで発光させる（Ｓ５５０，Ｓ５６０）。これにより、最初は、全体が真っ白の判定画像３０が目盛り３５と共に表示される。
【００３８】
以下は、第２実施例のＳ３７０〜Ｓ４００と同様であり、「ＯＫ」を意味するボタン操作があったら、このときのＸctr の値を下記数５に代入してブラックポントＢＰを算出し（Ｓ６１０）、ハードディスク５に書き込んで記憶しておく（Ｓ６２０）。なお、この実施例でも、比較輝度領域３１と基準輝度領域３２とが区別できる部分の幅が目盛り３５と一致したときに「ＯＫ」を意味するボタン操作を行うこととして取り決めてある。
【００３９】
【数５】
0003707201.tif 000006
【００４０】
この実施例によれば、パーソナルコンピュータ１はＳ５２０の処理を行うことによって「基準輝度領域発生手段」を構成し、同じくＳ５３０の処理を行うことによって「比較条件付与生手段」を構成する。また、パーソナルコンピュータ１がＳ５４０〜Ｓ５６０の処理を行うことによって「比較輝度領域発生手段」を構成し、Ｓ５９０〜Ｓ６００の処理を行うことによって「入力値増減手段」を構成する。また、マウス４及びパーソナルコンピュータ１のＳ５７０，Ｓ５８０の処理により「決定指令手段」が構成され、パーソナルコンピュータ１がＳ６１０の処理を行うことによって「ブラックポイント算出手段」を構成している。
【００４１】
本実施例においても、第２実施例と全く同様の効果が発揮される。なお、この第３実施例は、原理を分かりやすくするために基準輝度領域にＸbase＝２５５を与えることとしたが、実施に当たっては、例えば、ＢＰがＸ＝１０〜１５の範囲内にある場合には、Ｘbase＝２０程度としておくなど、ＢＰを確実に越え、かつ、ＢＰにできるだけ近い値を基準輝度領域の入力値Ｘbaseとすることが望ましい。上述の実施例の場合には、判定基準となる幅Ｂ１がきわめて小さい幅になってしまうので、中心領域自体の幅との区別が難しくなるおそれがあるからである。ＸbaseをＢＰに近い値にしておけば、幅Ｂ１をある程度大きく設定できるので、中心領域の幅と明確に差ができ、ＢＰの判定精度がより向上するからである。
【００４２】
以上本発明のいくつかの実施例について説明してきたが、本発明は何らこの実施例に限定されるものではなく、その要旨を逸脱しない範囲内で種々なる態様にて実施できることはもちろんである。
例えば、上記第２，第３実施例においては直線的な関数で周辺領域に対する入力値を定めたが、曲線的な関数であっても構わない。
【００４３】
また、第１実施例においてはＢＰ１とＢＰ２の単純平均でＢＰを求めているが、ＢＰ１とＢＰ２にそれぞれ重み係数を掛けた上で平均するようにしてもよいし、ＢＰ１とＢＰ２の差がある値よりも小さくなったら平均をし、小さくなっていないなら再度操作を実行させるといった構成を付加しても構わない。加えて、ＢＰ１とＢＰ２の小さい方をＢＰとするといった構成にすることもできる。いずれにしても、比較輝度領域を徐々に明るくしていく方法と徐々に暗くしていく方法の二つを実施し、これらの実施結果に基づいてＢＰを決定することにより、より正確なＢＰを迅速に決定し易くなるからである。
【００４４】
さらに、実施例では、Ｒ＝Ｇ＝Ｂを前提としてＢＰを求める方法を説明したが、Ｒ，Ｇ，Ｂそれぞれを単独で、例えば、Ｇ＝Ｂ＝０としてＲを０〜２５５で可変することによってＲについてのＢＰを求める方法として実施しても構わない。
【図面の簡単な説明】
【図１】  第１実施例のシステムの概略構成図である。
【図２】  第１実施例におけるブラックポイント決定用の画面表示の説明図である。
【図３】  第１実施例におけるブラックポイント決定プログラムの内容を示すフローチャートである。
【図４】  第２実施例におけるブラックポイント決定用の画面表示の説明図である。
【図５】  第２実施例におけるブラックポイント決定プログラムの内容を示すフローチャートである。
【図６】  第３実施例におけるブラックポイント決定用の画面表示の説明図である。
【図７】  第３実施例におけるブラックポイント決定プログラムの内容を示すフローチャートである。
【図８】  一般的なディスプレイの表示特性の説明図である。
【図９】  従来のブラックポイント決定方法の説明図である。
【符号の説明】
１・・・パーソナルコンピュータ、２・・・カラーディスプレイ、３・・・キーボード、４・・・マウス、５・・・ハードディスク、６・・・カラープリンタ、１０・・・判定画像、１１・・・比較輝度領域、１２・・・基準輝度領域、１３・・・スクロールバー、１３ａ・・・スライダ−、２１・・・比較輝度領域、２１ａ・・・中心領域、２１ｂ・・・周辺領域、２２・・・基準輝度領域、２３・・・スクロールバー、２３ａ・・・スライダ−、２５・・・目盛り、３１・・・比較輝度領域、３１ａ・・・中心領域、３１ｂ・・・周辺領域、３２・・・基準輝度領域、３３・・・スクロールバー、３３ａ・・・スライダ−、３５・・・目盛り
【図１】
0003707201.tif 000007
【図２】
0003707201.tif 000008
【図３】
0003707201.tif 000009
【図４】
0003707201.tif 000010
【図５】
0003707201.tif 000011
【図６】
0003707201.tif 000012
【図７】
0003707201.tif 000013
【図８】
0003707201.tif 000014
【図９】
0003707201.tif 000015